(57)【要約】【課題】この発明は不用意な外力によってテーブル板がずれ動くことのない状態で移動可能に設けることができるようにしたベッド装置を提供することにある。【解決手段】マットレス５が載置されるベッドフレーム１と、ベッドフレームの側部材２の外面に長手方向に沿って設けられたガイド部材１２と、ガイド部材に移動可能に設けられた可動部材１４と、可動部材に下端部が取り付けられ上端部にマットレスの上方に位置するテーブル板４４が設けられた取り付け部材３２とを具備する。【選択図】      図１
2005334433.tif 000002
【特許請求の範囲】
【請求項１】
マットレスが載置されるベッドフレームと、
このベッドフレームの側部材の外面に長手方向に沿って設けられたガイド部材と、
このガイド部材に移動可能に設けられた可動部材と、
この可動部材に下端部が取り付けられ上端部に上記マットレスの上方に位置するテーブル板が設けられた取り付け部材と
を具備したことを特徴とするベッド装置。
【請求項２】
上記可動部材には、この可動部材を上記ガイド部材に移動不能に固定するストッパが設けられていて、
このストッパは、上記可動部材に移動方向と交差する方向に貫通して回転可能に設けられた軸部材と、上記可動部材の外面側に位置する上記軸部材の一端部に取り付けられたレバーと、上記軸部材の上記ガイド部材側に位置する他端に偏心して設けられ上記レバーによって上記軸部材を回転させることで上記ガイド部材に圧接して上記可動部材の移動を阻止する当接部材とによって構成されていることを特徴とする請求項１記載のベッド装置。
【請求項３】
上記取り付け部材は、下端部が上記可動部材に取り付けられた垂直部材と、この垂直杆の上端部に水平方向に回転可能に設けられ上記テーブル板が取り付けられた水平部材とによって構成されていることを特徴とする請求項１記載のベッド装置。
【請求項４】
上記ベッドフレームには、幅方向の両側に位置する側部材にそれぞれガイド部材が設けられ、各ガイド部材には可動部材が設けられていて、
上記取り付け部材は、左右一対の可動部材に下端部が取り付けられた一対の垂直部材と、これら垂直部材の両端部が連結されて上記ベッドフレームの幅方向に沿ってほぼ水平に架設されるとともに上記テーブル板が取り付けられた水平部材とによって構成されていることを特徴とする請求項１記載のベッド装置。
【発明の詳細な説明】
【技術分野】
【０００１】
この発明はマットレス上で利用することができるテーブル板を備えたベッド装置に関する。
【背景技術】
【０００２】
ベッド装置には、利用者がマットレス上で上半身を起こした姿勢を維持することができる、いわゆる背上げ式のベッド装置が知られている。背上げ式のベッド装置は、利用者が上半身を起こして食事をしたり、読書をときなどに利用することができるため、非常に便利である。そのようなベッド装置は自力で上半身を起こすことのできない利用者が病院や家庭で利用されるだけでなく、最近では健康な利用者であっても家庭で利用することが多くなってきており、さらにホテルなどでも利用者へのサービス向上のために採用するところが多くなってきている。
【０００３】
背上げ式のベッド装置において、利用者が上半身を起こして食事をしたり、読書をする場合、マットレスの上方に食器や本などを置くことのできるテーブル板が設けられていると非常に便利である。
【０００４】
テーブル板を設けた場合、利用者の上半身を起こす角度によって上記テーブル板の使い易い位置が変わってくる。たとえば、背上げ角度が小さい状態から大きくしてゆくと、上記テーブル板はベッド装置のヘッドボード側の位置からフットボード側へ移動させた方が使い易くなる。また、テーブル板の利用形態や利用者の体格などによっても、テーブル板の使い易い位置が異なる。
【０００５】
そこで、従来はテーブル板の位置を変えることができるようにするため、ベッド装置と別体に構成されたテーブル装置を用いるようにしていた。すなわち、上記テーブル装置はマットレスの幅寸法よりも長尺なテーブル板を有し、このテーブル板の長手方向の両端部の下面には脚体が設けられている。各脚体の下端にはキャスタが設けられ、テーブル板をマットレスの長手方向に沿って移動させることができるようになっている。このような従来技術としては特許文献１に示される構成が知られている。
【特許文献１】実公平３−３５０３０４号公報
【発明の開示】
【発明が解決しようとする課題】
【０００６】
上述した従来の構造によると、ベッド装置とテーブル装置とが全くの別体であった。そのため、利用者が利用時にテーブル板に手を掛けたり、寄り掛るなどして不用意な外力を加えたり、或いはベッド装置の側方を通行する人がぶつかるなどすると、ベッド装置に対して上記テーブル板が脚体とともにずれ動き易いということがある。テーブル板がずれ動くと、上面に置かれた食器や本などが落下することがあるため、使用し難いということがある。
【０００７】
この発明は、不用意な外力によって動くようなことなく、しかも位置決め調整可能にテーブル板を設けることができるようにしたベッド装置を提供することにある。
【課題を解決するための手段】
【０００８】
この発明は、マットレスが載置されるベッドフレームと、
このベッドフレームの側部材の外面に長手方向に沿って設けられたガイド部材と、
このガイド部材に移動可能に設けられた可動部材と、
この可動部材に下端部が取り付けられ上端部に上記マットレスの上方に位置するテーブル板が設けられた取り付け部材と
を具備したことを特徴とするベッド装置にある。
【０００９】
上記可動部材には、この可動部材を上記ガイド部材に移動不能に固定するストッパが設けられていて、
このストッパは、上記可動部材に移動方向と交差する方向に貫通して回転可能に設けられた軸部材と、上記可動部材の外面側に位置する上記軸部材の一端部に取り付けられたレバーと、上記軸部材の上記ガイド部材側に位置する他端に偏心して設けられ上記レバーによって上記軸部材を回転させることで上記ガイド部材に圧接して上記可動部材の移動を阻止する当接部材とによって構成されていることが好ましい。
【００１０】
上記取り付け部材は、下端部が上記可動部材に取り付けられた垂直部材と、この垂直杆の上端部に水平方向に回転可能に設けられ上記テーブル板が取り付けられた水平部材とによって構成されていることが好ましい。
【００１１】
上記ベッドフレームには、幅方向の両側に位置する側部材にそれぞれガイド部材が設けられ、各ガイド部材には可動部材が設けられていて、
上記取り付け部材は、左右一対の可動部材に下端部が取り付けられた一対の垂直部材と、これら垂直部材の両端部が連結されて上記ベッドフレームの幅方向に沿ってほぼ水平に架設されるとともに上記テーブル板が取り付けられた水平部材とによって構成されていることが好ましい。
【発明の効果】
【００１２】
この発明によれば、ベッドフレームに可動部材を移動可能に設け、この可動部材にテーブル板が取り付けられる取り付け部材を設けたから、テーブル板に不用意な外力が加わっても、このテーブル板がベッド装置に対してずれ動くのを防止することができる。
【発明を実施するための最良の形態】
【００１３】
以下、この発明の実施の形態を図面を参照して説明する。  
図１乃至図９はこの発明の第１の実施の形態を示す。図１はベッド装置の斜視図であって、このベッド装置は四隅部下面にストッパ付きのキャスタ１ａが設けられたベッドフレーム１を備えている。このベッドフレーム１は所定間隔で離間した一対の側部材２（一方のみ図示）の長手方向一端にヘッドボード３、他端にフットボード４が連結されて平面形状が矩形枠状に形成されている。
【００１４】
上記ベッドフレーム１には図示せぬ床板が設けられ、この床板のヘッドボード３側に位置する一端部は同じく図示しない背上げ機構によって起伏駆動されるようになっている。上記床板にはマットレス５が載置されている。このマットレス５は床板の一端部を起上させることで、この床板とともに上方へ屈曲するようになっている。  
なお、上記フットボード４の上端には、床板を起上させたときにマットレス５がフットボード４側にずれるのを防止するずれ止め防止部材６が設けられている。
【００１５】
図４に示すように、上記ベッドフレーム１の一方の側部材２の外面には、高さ方向中途部に長手方向のほぼ全長にわたって取り付け溝１１が形成されている。この取り付け溝１１には断面形状がＣ字状のガイド部材１２が開放した一側面を外側に向けて埋設され、ねじ１３によって固定されている。
【００１６】
上記ガイド部材１２には可動部材１４が移動可能に設けられている。この可動部材１４は断面形状が扁平な楕円形の中空状であって、長手方向両端部には図６に示すようにスリーブ１５が厚さ方向に貫通して設けられている。このスリーブ１５の両端部には樹脂製のブッシュ１６が嵌挿されている。一対のブッシュ１６には回転軸１７が回転可能に挿入されている。
【００１７】
上記可動部材１４の外面側に位置する上記回転軸１７の一端には抜け止め防止用のＣリング１８が取着され、他端にはローラ１９が取着されている。そして、一対のローラ１９は上記ガイド部材１２内に挿入されている。したがって、上記可動部材１４は上記ガイド部材１２に沿って移動可能となっている。
【００１８】
なお、図４に示すように上記ローラ１９は、上記ガイド部材１２に対して上下方向にほとんどがた付くことのない直径に設定されている。  
上記可動部材１４の長手方向中途部にはストッパ２１が設けられている。このストッパ２１は図８に示すように構成されている。すなわち、可動部材１４にはスリーブ２２が厚さ方向に貫通して設けられている。このスリーブ２２の両端にはブッシュ２３が装着されている。一対のブッシュ２３には軸部材としてのストッパ軸２４が回転可能に設けられている。
【００１９】
上記ストッパ軸２４には、上記可動部材１４の外面側に突出した一端にレバー２５が取着され、他端に円盤状の当接部材２６が上記ストッパ軸２４の回転中心に対して偏心して取着されている。この偏心量を図９（ｂ）にｅで示す。
【００２０】
上記当接部材２６は上記ガイド部材１２内に位置している。上記レバー２５は、通常、図９（ａ）に鎖線で示すように鉛直方向下方に位置している。そして、上記レバー２５を鉛直方向下方に位置する状態から矢印で示す反時計方向に約９０度回転させて実線で示すようにほぼ水平にすると、上記当接部材２６が偏心回転することで、その外周面が上記ガイド部材１２の上端内面に圧接する。それによって、上記ストッパ２１が設けられた可動部材１４が上記ガイド部材１２に対して移動不能に固定されることになる。
【００２１】
上記可動部材１４の外面の長手方向中途部で、上記ストッパ２１の近傍には短管３１が軸線を垂直にして固着されている。この短管３１には取り付け部材３２が着脱可能かつ高さ調整可能に取り付けられている。
【００２２】
上記取り付け部材３２は杆状の垂直部材３３と水平部材３４を有する。垂直部材３３の下端外周面には図３に示すように円錐状の複数の凹部３５が上下方向に所定間隔で形成されていて、この下端部は上記短管３１にスライド可能に挿入されている。短管３１には先端が上記凹部３５の形状に対応する錐状に形成された高さ調整ねじ３６が螺挿されている。高さ調整ねじ３６の後端にはねじ３６に比べて十分に大径な把持部３７が設けられている。
【００２３】
それによって、上記垂直部材３３を上下動させ、所定の高さ位置の凹部３５を高さ調整ねじ３６に対向させた状態で、この高さ調整ねじ３６を捩じ込めば、その位置で上記垂直部材３３を上下動不能に固定することができるようになっている。
【００２４】
上記水平部材３４の一端には、図４に示すように上端が閉塞された筒状部材３８が取着されている。この筒状部材３８は上記垂直部材３３の上端に回転及び着脱可能に装着される。筒状部材３８の上端面から上記垂直部材３３には回転調整ねじ４２が螺合されている。回転調整ねじ４２の後端にはねじ４２に比べて十分に大径な把持部４１が設けられている。上記回転調整ねじ４２を緩めれば、上記水平部材３４は筒状部材３８が設けられた一端を支点として回転可能となり、捩じ込めば所定の位置で回転不能に固定される。
【００２５】
図４に示すように、上記水平部材３４の長手方向中途部と他端部とにはそれぞれ帯板状の受け部材４３が長手方向中途部を上記水平部材３４に固着して、上記水平部材３４と交差する方向に沿って設けられている。一対の水平部材３４には矩形状のテーブル４４が載置され、ねじ４５によって固定されている。
【００２６】
上記水平部材３の中途部で、上記テーブル板４４の一側部には可撓軸４６の基端部が取り付けられている。この可撓軸４６の先端部には照明灯４７が設けられている。この照明灯４７は可撓軸４６を変形させることで、照明方向を自由に変えることができるようになっている。
【００２７】
このような構成のベッド装置によれば、レバー２５の回転操作によってストッパ２１による可動部材１４の固定状態を解除し、この可動部材１４をガイド部材１２に沿って移動させ、テーブル板４４を利用者の使い易い位置に位置決めする。
【００２８】
ついで、上記レバー２５を回転させて可動部材１４をガイド部材１２に移動不能に固定する。ついで、取り付け部材３２の垂直部材３３の高さ位置を高さ調整ねじ３６で利用者が利用し易い状態に調整する。
【００２９】
必要であれば、テーブル板４４の水平方向の回転位置を回転調整ねじ４２によって利用者が利用し易い位置に調整する。そして、そのような状態で利用者がテーブル板４の上面に食器類や本などの物品を置くなどして上記テーブル板４４を利用する。
【００３０】
上記テーブル板４４を保持した垂直部材３３と水平部材３４からなる取り付け部材３２はベッドフレーム１と一体的に設けられている。そのため、上記取り付け部材３２に不用意な外力が加わることがあっても、テーブル板４４がベッドフレーム１に対してずれ動くのを阻止することができる。したがって、テーブル板４４上に載置された物品が落下するのを防止できるから、上記テーブル板４４を安定した状態で良好に利用することができる。
【００３１】
上記取り付け部材３２が設けられた可動部材１４はガイド部材１２に沿って移動させることができる。そのため、ベッド装置をマットレス５のヘッドボード３側に位置する一端部を起上させた、背上げ状態で使用する場合、その背上げ角度に応じて上記可動部材１４を利用者が使用し易い位置に移動させて利用することができる。
【００３２】
テーブル板４４が取り付けられた水平部材３４は垂直部材３３に対して水平方向に回転可能かつ所定の回転位置で回転調整ねじ４２によって固定可能に設けられている。そのため、利用者がマットレス５上から降りるときやテーブル板４４を使用しないときには、図２に示すように取り付け部材３２が設けられた可動部材１４をガイド部材１２に沿ってフットボード４側に移動させ、上記テーブル板４４をマットレス５の上方から側方へ回転させれば、テーブル板４４や取り付け部材３２を、利用者の邪魔にならないよう、退避させることができる。
【００３３】
テーブル板４を利用する際、ガイド部材１２に移動可能に設けられた可動部材１４は、ストッパ２１によって上記ガイド部材１２に移動不能に固定したが、固定しない状態でテーブル板４を利用しても、取り付け部材３２がベッドフレーム１と一体的に設けられているから、取り付け部材３２に不用意な外力が加わっても、上記テーブル板４４が大きくずれ動くのを防止することができる。
【００３４】
さらに、水平部材３４には照明灯４７が可撓軸４６によって取り付けられている。そのため、上記照明灯４７の位置を、可撓軸４６を変形させて利用者が利用しやすい位置、たとえば背上げ角度に応じてテーブル板４４の上面を確実に照明できる位置などに変えることができる。
【００３５】
図１０はこの発明の第２の実施の形態を示すベッド装置の斜視図である。この第２の実施の形態はベッドフレーム１に対してテーブル板４４を移動可能に取り付ける取り付け部材の変形例である。
【００３６】
すなわち、この実施の形態では、ベッドフレーム１の一対の側部材２にそれぞれガイド部材１２（一方のみ図示）が設けられている。各ガイド部材１２には上記第１の実施の形態と同じ構成の可動部材１４が移動可能に設けられている。つまり、各可動部材１４にはローラ１９、ストッパ２１及び短管３１が設けられている。
【００３７】
取り付け部材１３２は、各短管３１に下端部が高さ調整可能に取り付けられた一対の垂直部材３３ａ、及びベッドフレーム１の幅寸法とほぼ同じ長さ寸法であって、両端に上端面が閉塞された筒状部材３８ａが取り付けられた水平部材３４ａとによって構成されている。
【００３８】
上記筒状部材３８ａは上記垂直部材３３ａの上端に把持部を有する取り付けねじ５１によって着脱可能に取り付けられている。そして、上記垂直部材３３ａにテーブル板４４が第１の実施の形態と同様に取り付けられている。
【００３９】
このような構成のベッド装置によれば、取り付け部材１３２のテーブル板４が取り付けられた水平部材３４ａは、その両端が垂直部材３３ａによって支持されている。そのため、第１の実施の形態に示したように水平部材３４が片持ちの場合に比べ、水平部材３４ａの支持剛性を高めることができる。
【００４０】
それによって、テーブル板４４をがた付きの少ない安定した支持状態で使用することができる。しかも、水平部材３４ａを支持剛性の低下を招くことなく長尺化できるため、その長さに応じてテーブル板４４を長尺化することもできる。
【００４１】
この発明は上記各実施の形態に限定されず、種々変形可能である。たとえば、可動部材をガイド部材に移動可能に設ける構成はローラに限られず、ガイド部材に対してスライド可能なスライダを上記可動部材に設けるようにしてもよい。
【図面の簡単な説明】
【００４２】
【図１】この発明の第１の実施の形態を示すベッド装置の斜視図。
【図２】ベッド装置の平面図。
【図３】垂直部材の下端部が取り付けられた可動部材の斜視図。
【図４】取り付け部材と可動部材との組立て構造を一部断面して示す図。
【図５】ガイド部材に設けられた可動部材を示す正面図。
【図６】図５のＡ−Ａ線に沿う断面図。
【図７】図５のＢ−Ｂ線に沿う断面図。
【図８】図５のＣ−Ｃ線に沿う断面図。
【図９】ストッパの動作を説明するための図。
【図１０】この発明の第２の実施の形態を示すベッド装置の斜視図。
【符号の説明】
【００４３】
１…ベッドフレーム、５…マットレス、１２…ガイド部材、１４…可動部材、２１…ストッパ、２４…ストッパ軸（軸部材）、２５…レバー、２６…当接部材、３２…取り付け部材、３３…垂直部材、３４…水平部材、４４…テーブル板。
【図１】
2005334433.tif 000003
【図２】
2005334433.tif 000004
【図３】
2005334433.tif 000005
【図４】
2005334433.tif 000006
【図５】
2005334433.tif 000007
【図６】
2005334433.tif 000008
【図７】
2005334433.tif 000009
【図８】
2005334433.tif 000010
【図９】
2005334433.tif 000011
【図１０】
2005334433.tif 000012